(57)【特許請求の範囲】
【請求項１】
インターネットプロトコルマルチメディアサブシステム（５１０）によって、第１の通信デバイス（５０１）と第２の通信デバイスとの間の通信セッションへの招待を受信するステップと、
前記インターネットプロトコルマルチメディアサブシステムによって、前記招待を表す情報を記憶するステップと、
前記インターネットプロトコルマルチメディアサブシステムによって、アプリケーション層よりも下の通信層上の第１の移動無線通信ネットワークを介して前記第１の通信デバイスに、通信セッションが意図されていることを通知するステップと、
前記第１の通信デバイスによってフォールバックを要求するステップと、
前記第１の通信デバイスの、前記第１の移動無線通信ネットワークから第２のフォールバック移動無線通信ネットワークへの前記フォールバックを実施するステップと、
前記インターネットプロトコルマルチメディアサブシステムによって、記憶されている前記情報に基づいて前記招待を示すメッセージを、前記アプリケーション層上の前記第２のフォールバック移動無線通信ネットワークを介して前記第１の通信デバイスに送信するステップと、
前記第２の移動無線通信ネットワークを介して前記第１の通信デバイスと前記第２の通信デバイスとの間の前記通信セッションを確立するステップと
を含む、通信を確立するための方法。
【請求項２】
前記第１の移動無線通信ネットワークが５Ｇ移動無線通信ネットワークであり、前記第２のフォールバック移動無線通信ネットワークがロングタームエボリューション無線通信ネットワークである、請求項１に記載の通信を確立するための方法。
【請求項３】
前記メッセージが呼制御プロトコルによるメッセージである、請求項１又は２に記載の通信を確立するための方法。
【請求項４】
前記呼制御プロトコルがアプリケーション層プロトコルである、請求項３に記載の通信を確立するための方法。
【請求項５】
前記招待が前記第２の通信デバイスに由来する、請求項１〜４のいずれか一項に記載の通信を確立するための方法。
【請求項６】
前記通信セッションがマルチメディア呼である、請求項１〜５のいずれか一項に記載の通信を確立するための方法。
【請求項７】
前記通信セッションがインターネットプロトコルマルチメディアサブシステム通信セッションである、請求項１〜６のいずれか一項に記載の通信を確立するための方法。
【請求項８】
前記第１の通信デバイスによって前記フォールバックを要求する前記ステップが、前記第１の移動無線通信ネットワークに拡張サービス要求を送信することを含む、請求項１に記載の通信を確立するための方法。
【請求項９】
前記第１の通信デバイスが、前記第１の通信デバイスが前記第２のフォールバック移動無線通信ネットワークへのフォールバックをサポートしていることを指示するステップと、前記指示に応答して前記招待を表す前記情報を記憶するステップとを含む、請求項１〜８のいずれか一項に記載の通信を確立するための方法。
【請求項１０】
前記招待を示す前記メッセージは、前記フォールバック後に前記第１の通信デバイスに送信される、請求項１〜９のいずれか一項に記載の通信を確立するための方法。
【請求項１１】
前記招待が招待メッセージの形態で受信され、前記招待を示す前記メッセージが前記招待メッセージである、実施例１〜１０のいずれか１一項に記載の通信を確立するための方法。
【請求項１２】
前記フォールバックが、前記第１の通信デバイスと前記第２の通信デバイスとの間の通信経路を、前記第１の移動無線通信ネットワークを介して進行するものから、前記第２のフォールバック移動無線通信ネットワークを介して進行するものへと変更することを含む、実施例１〜１１のいずれか一項に記載の通信を確立するための方法。
【請求項１３】
第１の通信デバイス（５０１）と第２の通信デバイスとの間の通信セッションへの招待を受信するように構成されている受信機（９０１）と、
前記招待を表す情報を記憶するように構成されているメモリ（９０２）と、
通信セッションが意図されているという、アプリケーション層よりも下の層における第１の移動無線通信ネットワークを介した前記第１の通信デバイスの通知を開始することであって、前記第１の通信デバイスによってフォールバックが要求される、通知を開始することと、
前記第１の移動無線通信ネットワークから第２のフォールバック移動無線通信ネットワークへの前記第１の通信デバイスのフォールバック後に、前記記憶されている情報に基づいて前記招待を示すメッセージの、前記アプリケーション層上の前記第２のフォールバック移動無線通信ネットワークを介した前記第１の通信デバイスへの送信を開始することとを行うように構成されているコントローラ（９３３）と
を備える、インターネットプロトコルマルチメディアサブシステム（５１０）。
【発明の詳細な説明】
【技術分野】
【０００１】
本開示は、通信を確立するための方法及び移動無線通信ネットワーク構成要素に関する。
【発明の概要】
【０００２】
その発展の初期段階において、移動通信のためのＮＧＳ（次世代システム）を介したマルチメディアサービスのサポートには問題があり得る。主な問題は、ＮＲ（新規ＲＡＮ）カバレッジが不連続であり、それによって、音声／ビデオ通話の間に頻繁なハンドオーバが必要になることであり得る。特に、ＮＲからＬＴＥ（ロングタームエボリューション）へのハンドオーバがサポートされていない場合、サービスの連続性がサポートされない場合がある。
【０００３】
他の可能性のある問題は、例えば、以下のものがサポートされていない、又は、十分に試験されていないことに起因して、配備状況が一時的であることに関係し得る。
【０００４】
マルチメディアサービスに関係するＲＲＣ（無線リソース制御）シグナリングオプション若しくはＱｏＳ（サービス品質）要件、又は
マルチメディアサービスに関係する次世代ＮＡＳ（非アクセス層）シグナリングオプション（例えば、緊急通話）。
【０００５】
したがって、次世代システムの文脈においてマルチメディアサービスの信頼可能なサポートを提供するための手法が望ましい。
【課題を解決するための手段】
【０００６】
一実施形態によれば、第１の通信デバイスと第２の通信デバイスとの間の通信セッションに対する招待を受信するステップと、招待を表す情報を記憶するステップと、通信セッションが意図されていることを、第１の移動無線通信ネットワークを介して第１の通信デバイスに通知するステップと、第１の移動無線通信ネットワークから第２の移動無線通信ネットワークへの、第１の通信デバイスのフォールバックを実施するステップと、記憶されている情報に基づく招待を示すメッセージを、第２の移動無線通信ネットワークを介して第１の通信デバイスに送信するステップと、第２の移動無線通信ネットワークを介して、第１の通信デバイスと第２の通信デバイスとの間の通信セッションを確立するステップとを含む、通信を確立するための方法が提供される。
【０００７】
さらなる実施形態によれば、上記の通信を確立するための方法による、移動無線通信ネットワーク構成要素が提供される。
【０００８】
図面において、同様の参照符号は、概して異なる複数の図全体を通じて同じ部分を参照する。図面は、必ずしも原寸に比例してはおらず、むしろ、概して本発明の原理を説明していることが強調されるものである。以下の説明において、様々な態様を、添付の図面を参照して説明する。
【図面の簡単な説明】
【０００９】
【図１】２つの通信ネットワークを含む無線セル構成を示す図である。
【図２】通信システムを示す図である。
【図３】移動体着信呼のためのフォールバックの開始の一例を示すフロー図である。
【図４】一実施形態による移動体着信呼のためのＬＴＥフォールバックを示す図である。
【図５】移動体着信呼のためのフォールバックの開始の一例を示すフロー図である。
【図６】ＲＲＣリダイレクトによるフォールバック手順を示すフロー図である。
【図７】ハンドオーバによるフォールバック手順の別の例を示すフロー図である。
【図８】通信を確立するための方法を示すフロー図である。
【図９】一実施形態による移動無線通信ネットワーク構成要素９００を示す図である。
【発明を実施するための形態】
【００１０】
以下の詳細な説明は、例示として、本発明を実践することができる本開示の特定の詳細及び態様を示す、添付の図面を参照する。他の態様を利用することができ、本発明の範囲から逸脱することなく、構造的、論理的及び電気的な変更を為すことができる。本開示のいくつかの態様は新たな態様を形成するために本開示の１つ又は複数の他の態様と組み合わされてもよいため、本開示の様々な態様は、必ずしも相互に排他的ではない。
【００１１】
複数の移動通信システムが同じ地理的領域に配備されることによって、移動端末は、同じＲＡＴ（無線アクセス技術）に従って、又は、異なるＲＡＴに従って動作し得る２つ以上の移動通信ネットワークのカバレッジエリア内にある場合がある。これは図１に示されている。
【００１２】
図１は、２つの通信ネットワークを含む無線セル構成１００を示す。
【００１３】
無線セル構成１００は、第１の通信ネットワークの複数の第１の基地局１０２（例えば次世代無線基地局ＮＲＢＳ）によって操作される（網掛けなしで示されている）第１の複数の無線セル１０１と、第２の通信ネットワークの複数の第２の基地局１０５（例えば、異なるＲＡＴ、例えばＬＴＥの基地局ｅＮＢ）によって操作される、網掛け１０４によって示されている第２の複数の無線セル１０３とを含む。
【００１４】
図示されているように、第２の複数の無線セル１０３は、第１の複数の無線セル１０１と重なり合っており、それによって、重なり合っている領域に位置する移動端末１０６は、第１の通信ネットワークと第２の通信ネットワークの両方を使用することができ、例えば、第１の通信ネットワークの基地局１０２と第２の通信ネットワークの基地局１０５の両方に登録することができる。特に、移動端末１０６は、第２の通信ネットワーク（例えばＬＴＥ）を、第１の通信ネットワーク（例えば次世代システム）からのフォールバックとして使用することができる。これは、次世代システム（ＮＧＳ）のオペレータが、ＮＧＳが依然としてＰＳ（パケット交換）関連サービスを提供するための目標であると同時に、ＬＴＥを介したマルチメディアサービスをサポートするために最初に（例えば配備の初期段階において）導入することができる、ＬＴＥフォールバックとして参照される。
【００１５】
以下において、マルチメディアサービスを実施する必要があるＵＥのためにＮＧＳからＥＰＳ（発展型パケットシステム、すなわち、ＬＴＥ通信システム）へとフォールバックする手法を説明する。以下において仮定されるアーキテクチャは、別途記載しない限り、図２に示すようなものである。
【００１６】
図２は、通信システム２００を示す。
【００１７】
通信システム２００は、新規無線（ＮＲ）２０２として参照される、次世代システム無線アクセスネットワーク２０２、及び、ＬＴＥ無線アクセスネットワーク（ＬＴＥ  ＲＡＮ）２０３、すなわち、Ｅ−ＵＴＲＡＮ（発展型ＵＭＴＳ地上無線アクセスネットワーク）−ＵＴＲＡＮ２０３のカバレッジエリア内にあるＵＥ２０１を備える。
【００１８】
Ｅ−ＵＴＲＡＮ２０３は、互いとも接続されているサービスゲートウェイ（ＳＧＷ）２０４及びモビリティ管理エンティティ（ＭＭＥ）２０５に接続されている。
【００１９】
ＮＲ２０２は、次世代制御プレーン（ＮＧ  ＣＰ）２０６、すなわち、ＮＧ  ＣＰを実装するエンティティ及び構成要素、並びに、ユーザプレーンゲートウェイ（ＵＰ−ＧＷ）２０７に接続されている。
【００２０】
通信システム２００は、ＭＭＥ２０５及びＮＧ  ＣＰ２０６が接続されている共通のホーム加入者サーバ（ＨＳＳ）２０８を備える。
【００２１】
通信システム２００は、ＳＧＷ２０４が接続されているＰＧＷ２０９をさらに備える。
【００２２】
ＰＧＷ２０９はＩＭＳ２１０に接続されている。ＵＰ−ＧＷ２０７も、ＩＭＳ２１０に接続されている。
【００２３】
ＮＧ  ＣＰ２０６及びＵＰ−ＧＷ２０７は、データネットワーク（ＤＮ）２１２へ接続することを可能にする別のＵＰ−ＧＷ２１１にさらに接続することができる。
【００２４】
ＥＰＳとＮＧＳとの間の共通のネットワークアタッチが存在する、すなわち、ＥＰＳ及びＮＧＳのうちの一方に接続されているＵＥは、それらのうちの他方にも接続されることがさらに仮定される。
【００２５】
ＥＰＳ及びＮＧＳは、共通のＩＰアンカーを有してもよく、又は、有しなくてもよい。共通のＩＰアンカーは、ＥＰＣ  ＰＧＷであり得、この場合、ＮＧＣとＰＧＷとの間のＮＧｙインターフェースは、ＥＰＣ  Ｓ５／Ｓ８インターフェース、ＮＧＣ  ＵＰ−ＧＷ、又は、ＰＧＷとＮＧＣ  ＵＰ−ＧＷの両方の機能を実施するネットワーク要素のようなものである。
【００２６】
図３は、移動体着信呼のためのフォールバックの開始の一例を示すフロー図３００を示す。
【００２７】
フローは、例えばＵＥ２０１に対応するＵＥ３０１、例えばＮＲ２０２に対応するＮＲ３０２、例えばＥ−ＵＴＲＡＮ２０３の一部であるＬＴＥ  ｅＮＢ３０３、例えばＮＧ  ＣＰ２０６に対応するＮＧ  ＣＰ３０４、例えばＭＭＥ２０５に対応するＭＭＥ３０５、例えばＵＰ  ＧＷ２０７に対応するＵＰ  ＧＷ３０６、例えばＳＧＷ２０４に対応するＳＧＷ３０７、共通のＩＰアンカー３０８、例えばＨＳＳ２０８に対応するＨＳＳ３０９、及び、例えばＩＭＳ２１０の一部であるＰ−ＣＳＣＦ３１０の間で行われる。
【００２８】
前提条件として、アタッチ手順及びトラッキングエリア更新手順の間、ＮＧ  ＣＰはＵＥに対して以下のことを示していると仮定される。
【００２９】
ＩＭＳ＿ＶＯＩＰ＝ＦａｌｓｅかつＶｏＬＴＥ＿ＦＢ＝Ｔｒｕｅ
ＩＭＳ＿ＶＯＩＰ＝ＴｒｕｅかつＶｏＬＴＥ＿ＦＢ＝Ｔｒｕｅであり、オペレータ方針又はＵＥ事前構成は、ＵＥがＬＴＥ／ＥＰＣ．上で音声呼を実施することを必要とする。
【００３０】
３１１において、Ｐ−ＣＳＣＦ３１０がＳＩＰｉｎｖｉｔｅをＩＰアンカー３０８に送信し、ＩＰアンカー３０８は、デフォルトのベアラを通じてＵＰ−ＧＷ３０６にこれを転送する。ＳＩＰｉｎｖｉｔｅは、ＵＥ３０１との呼を確立するように意図する別のＵＥに由来し得る。
【００３１】
３１２において、ＵＰ−ＧＷ３０６が、ＮＧ  ＣＰ３０４にダウンリンクデータ通知を送信する。
【００３２】
３１３において、ＮＧ  ＣＰ３０４が、ＵＥ３０１のページングを実施する。
【００３３】
３１４において、ＵＥ３０１が、ページングに対する応答としてサービス要求を実施する。
【００３４】
３１５において、ＵＥ３０１が、ＮＧＳネットワークを通じてＳＩＰｉｎｖｉｔｅを受信する。
【００３５】
３１６において、ＵＥ３０１が、Ｐ−ＣＳＣＦ３１０にＳＩＰ１００試行を送信する。
【００３６】
３１７において、インジケータＩＭＳ＿ＶＯＩＰ及びＶｏＬＴＥ＿ＦＢの値に基づいて、ＵＥ３０１がフォールバック決定を実施する。
【００３７】
３１８において、ＵＥ５０１が、ＮＧ  ＣＰ５０４にＭＯ  ＶｏＬＴＥフォールバックを求める拡張サービス要求を送信する。
【００３８】
３１９において、ＮＧ  ＣＰ３０４が、ＮＧ２  ＵＥコンテキスト修正要求（ＵＥcontext modification Req）（ＶｏＬＴＥフォールバックインジケータ、ＴＡＩ（トラッキングエリア識別子））メッセージをＮＲ３０２に送信する。このメッセージはＮＲ３０２に、ＵＥ３０１がＬＴＥに移行されるべきであることを示す。
【００３９】
３２０において、ＮＲ５０２は、ＮＧ２  ＵＥコンテキスト修正応答（ＵＥ contextmodification Resp）を送信する。
【００４０】
３２１において、例えば、さらに後述するようなハンドオーバ又ＲＲＣリダイレクトに基づいて、フォールバック手順が実施される。
【００４１】
３２２において、ＵＥ３０１が、ＮＧＳを通じてＳＩＰ１８３進行メッセージを送信する。
【００４２】
要約すると、ＭＴ呼が入来する場合、ＵＥ３０１は、共通のＩＰアンカー３０８及びＵＰ−ＧＷ３０６を介してＳＩＰｉｎｖｉｔｅを受信する（３１１〜７１５）。ＳＩＰ試行を送信した後、ＵＥ３０１は、拡張サービス要求を実施し（３０８）、ＮＧ  ＣＰ３０４が、ＵＥ３０１をＬＴＥ／ＥＰＣに移行するためのフォールバック手順を実行する。ＵＥ３０１はその後、ＬＴＥ／ＥＰＣを介してＳＩＰ１８３進行を送信する。
【００４３】
この手順は、それぞれＩＭＳ又は他のＵＥとＳＩＰシグナリングを交換するためのサービス要求と、その後の、フォールバックを要求するための拡張サービス要求とを含む。
【００４４】
図３に関連して説明されている手順は、ＮＧＣとＥＰＣとの間の共通のＩＰアンカーを必要とする。
【００４５】
図４は、一実施形態による移動体着信呼のためのＬＴＥフォールバックを示す。
【００４６】
例えば移動端末２０１に対応するＵＥ４０１が、例えばＮＲ２０２に対応する新規無線（ＮＲ）４０２、及び、例えばＥ−ＵＴＲＡＮ４０３に対応するＥ−ＵＴＲＡＮ４０３のカバレッジエリア内にある。
【００４７】
ＮＲ４０２は次世代コアネットワーク（ＮＧＣ）４０４（例えば、ＵＰ−ＧＷ２０７及びＮＧ  ＣＰ２０６を含む）に接続されており、ＬＴＥ  ＲＡＮ４０３はＬＴＥコアネットワーク（発展型パケットコアＥＰＣ）４０５（例えばＳＧＷ２０４及びＭＭＥ２０５を含む）に接続されている。ＮＧＣ４０４とＥＰＣ４０５は両方とも、例えばＩＭＳ２１０に対応するＩＰ（インターネットプロトコル）マルチメディアサブシステム（ＩＭＳ）４０６に接続されている。
【００４８】
ＵＥ４０１は、次世代システム（ＮＧＳ）にキャンプオンし、移動体着信呼マルチメディア（例えばＶｏＬＴＥ）呼のためにＬＴＥ通信システムへのフォールバックを実施し、そのために、ＩＭＳ２０６は、後述するように、例えば別のＵＥに由来する、ＵＥ２０１に向けられている呼設定要求を受信すると仮定される。
【００４９】
４０７において、ＩＭＳ４０６は、呼設定をバッファリングし、４０８において、ＵＥ４０１に、入来する呼について通知する。
【００５０】
４０９において、ＵＥ４０１は、４１０におけるＥＰＳへのＵＥ４０１のフォールバックをトリガする、ＮＧＳとのシグナリングを実施する。４１１において、ＵＥ４０１は、ＵＥ４０１がＥＰＳに切り替わっており、呼を受信する準備ができたことをＩＭＳ４０６に通知する。
【００５１】
４１２において、ＩＭＳ４０６は、バッファリングされている呼設定要求をＵＥ４０１に送信し、呼が確立される。
【００５２】
以下において、図４を参照して説明した手法の一例を、図５を参照して説明する。
【００５３】
図５は、移動体着信呼のためのフォールバックの開始の一例を示すフロー図５００を示す。
【００５４】
フローは、例えばＵＥ２０１に対応するＵＥ５０１、例えばＮＲ２０２に対応するＮＲ５０２、例えばＥ−ＵＴＲＡＮ２０３の一部であるＬＴＥ  ｅＮＢ５０３、例えばＮＧ  ＣＰ２０６に対応するＮＧ  ＣＰ５０４、例えばＭＭＥ２０５に対応するＭＭＥ５０５、例えばＵＰ  ＧＷ２０７に対応するＵＰ  ＧＷ５０６、例えばＳＧＷ２０４に対応するＳＧＷ５０７、例えばＰＧＷ２０９に対応するＰＧＷ５０８、例えばＨＳＳ２０８に対応するＨＳＳ５０９、及び、例えばＩＭＳ２１０の一部であるＰ−ＣＳＣＦ５１０の間で行われる。
【００５５】
５１１において、ＵＥ５０１が５Ｇ  ＮＲを介してＮＧＣにアタッチする。ＮＧＣは、アタッチ承認メッセージにおいて、ネットワークがＶｏＬＴＥ−ＦＢ手順をサポートしていることを示すことができる。ＵＥ５０１は、ＶｏＬＴＥサービスのためのＰＤＵ（パケットデータユニット）セッションを開始する。
【００５６】
５１２において、ＮＧ  ＣＰ５０４のＮＧＣ  ＭＭ（モビリティ管理）機能が、アタッチ手順の一部として、ＨＳＳ５０９に対する通知要求を開始する。通知要求手順は、例えば、３ＧＰＰによるＩＭＳ音声サポート指示と同様に、ＨＳＳ５０９に対するＶｏＬＴＥ−ＦＢサポート指示を実行することを含むことができる。
【００５７】
５１３において、ＵＥ５０１は、第１のＩＰアドレス（ＮＧＣ  ＵＰゲートウェイ５０６からの）を用いてＩＭＳ５１０に登録する。この手順は、ＩＭＳ５１０に対するＶｏＬＴＥ−ＦＢサポート指示を搬送することを含むことができる。
【００５８】
５１４において、入来するＶｏＬＴＥ呼設定要求（ＳＩＰ  ＩＮＶＩＴＥ）がＩＭＳ５１０において受信されると仮定される。ＩＭＳ５１０が、３ＧＰＰに従って着信アクセスドメイン選択（Ｔ−ＡＤＳ）を実施する。この手順の一部として、ＩＭＳ５１０はＨＳＳ５０９に問い合わせ、ＩＭＳ音声サポート指示及び（５１２においてこれが含まれていた場合）ＶｏＬＴＥ−ＦＢサポート指示を受信する。これらの指示に基づいて、ＩＭＳ５１０は、ＵＥ５０１が、ＩＭＳ音声をサポートしていないが、ＶｏＬＴＥ−ＦＢはサポートしている５Ｇ  ＮＲアクセス内に存在することを知り、それゆえ、５１５において、ＩＭＳ５１０は、ＳＩＰ  ＩＮＶＩＴＥをバッファリングする。
【００５９】
５１６において、ＩＭＳ５１０が、ＵＥ５０１に向けて呼通知を送信する。この通知は、例えば、ＯＭＡ（オープンモバイルアライアンス）ＳＩＰプッシュにおいて指定されているようにＳＩＰ  ＭＥＳＳＡＧＥ方法として符号化することができるが、入来する呼において通知を搬送するように拡張増強することができる。代替的に、この通知は通常のＳＩＰ  ＩＮＶＩＴＥ方法として符号化されてもよい。この通知は、フォールバック中にネットワーク内で（意図的に）喪失することができる。
【００６０】
５１７において、ＵＰ  ＧＷ５０６が、ダウンリンクデータ通知（ＤＤＮ）が入来するＶｏＬＴＥ呼のためのものであるという指示を搬送するＤＤＮを送信する。
【００６１】
５１８において、ＮＧ  ＣＰ５０４がＵＥ５０１をページングし、ページングは、ページングが入来する呼のためのものであるという指示を搬送する。
【００６２】
５１９において、ＵＥ５０１が、ページングを受信し、ページングが入来するＶｏＬＴＥ呼のためのものであると判定し、現在のネットワークがＩＭＳ音声をサポートしていないが、ＶｏＬＴＥ−ＦＢをサポートしていると判定し、ＥＰＳへのフォールバックを要求することを決定する。
【００６３】
したがって、５２０において、ＵＥ５０１が、ＮＧ  ＣＰ５０４に、拡張したサービス要求を送信する。
【００６４】
５２１において、ＮＧ  ＣＰ５０４は、５Ｇ  ＲＡＮ５０２に、ＵＥをＬＴＥに転移するように要求する。
【００６５】
５２２において、５Ｇ  ＲＡＮ５０２は要求を承認し、（例えばＲＲＣリダイレクトを使用することによって）ＵＥ５０１をＬＴＥに転移する。
【００６６】
５２３において、ＵＥ５０１がＬＴＥに転移される。これは、ＵＥ５０１がＬＴＥにおいてトラッキングエリア更新手順を実施することを含むことができる。この手順の一部として、ユーザプレーンが起動される。
【００６７】
ＮＧＣとＥＰＣとの間に共通のＩＰアンカーがない場合、ＵＥ５０１は、ＥＰＳアタッチ手順の間にＥＰＣにおいて先行して開始されているＶｏＬＴＥサービスのためのＰＤＮ接続を使用する。この場合、５２４において、ＵＥ５０１は、ＥＰＣ  ＰＧＷから取得されるＩＰアドレスを用いて、ＩＭＳ５１０に再び登録する。ＵＥ５０１は、ＵＥがＬＴＥへの転移に成功したことを、ＩＭＳ５０１に通知する。これは、ＩＭＳ登録が受け入れられることによって、黙示的に指示することができる。
【００６８】
５２５において、ＩＭＳ５１０が、バッファリングされているＳＩＰ  ＩＮＶＩＴＥを、ＰＧＷ５０８、ＳＧＷ５０７及びＬＴＥ  ｅＮＢ５０３を介してＵＥ５０１に向けて送信する。
【００６９】
５２３のフォールバック手順の例が、図６及び図７に与えられる。
【００７０】
図６は、ＲＲＣリダイレクトによるフォールバック手順を示すフロー図６００である。
【００７１】
フローは、例えばＵＥ２０１に対応するＵＥ６０１、例えばＮＲ２０２に対応するＮＲ６０２、例えばＥ−ＵＴＲＡＮ２０３の一部であるＬＴＥ  ｅＮＢ６０３、例えばＮＧ  ＣＰ２０６に対応するＮＧ  ＣＰ６０４、例えばＭＭＥ２０５に対応するＭＭＥ６０５、例えばＵＰ  ＧＷ２０７に対応するＵＰ  ＧＷ６０６、例えばＳＧＷ２０４に対応するＳＧＷ６０７、ＩＰアンカー６０８、例えばＨＳＳ２０８に対応するＨＳＳ６０９、及び、例えばＩＭＳ２１０の一部であるＰ−ＣＳＣＦ６１０の間で行われる。
【００７２】
６１１において、リダイレクト手順（例えば３ＧＰＰによる）が実施される。ＵＥコンテキストは解放されない。
【００７３】
６１２において、ＵＥ６０１がＬＴＥセルにキャンプオンする。
【００７４】
６１３において、ＵＥ６０１が、ＬＴＥに対するＲＲＣ接続要求及びサービス要求を送信する。ＵＥ６０１は、サービス要求内に、ＳＲがフォールバックを意図していることの指示を含める。さらに、トラッキングエリア更新（ＴＡＵ）が実施される。
【００７５】
図７は、ハンドオーバによるフォールバック手順の別の例を示すフロー図７００である。
【００７６】
フローは、例えばＵＥ２０１に対応するＵＥ７０１、例えばＮＲ２０２に対応するＮＲ７０２、例えばＥ−ＵＴＲＡＮ２０３の一部であるＬＴＥ  ｅＮＢ７０３、例えばＮＧ  ＣＰ２０６に対応するＮＧ  ＣＰ７０４、例えばＭＭＥ２０５に対応するＭＭＥ７０５、例えばＵＰ  ＧＷ２０７に対応するＵＰ  ＧＷ７０６、例えばＳＧＷ２０４に対応するＳＧＷ７０７、ＩＰアンカー７０８、例えばＨＳＳ２０８に対応するＨＳＳ７０９、及び、例えばＩＭＳ２１０の一部であるＰ−ＣＳＣＦ７１０の間で行われる。
【００７７】
７１１において、例えば、３ＧＰＰによるＥＰＣにおけるＳ１ベースのハンドオーバと同様にハンドオーバ手順が実行され、ＮＧ  ＣＰ１１０４が、ソースＭＭＥ及びソースＳＧＷのＣＰ部分の役割を担う。セキュリティコンテキストが、ソースから、ハンドオーバをサポートするためにＭＭＥ７０５とＮＧ  ＣＰ７０４との間に付加的に（図２に示すアーキテクチャに対して）設けられているＳ１０インターフェースを介して、目標制御ブレーン機能（ＭＭＥ）に移行される。
【００７８】
７１２において、任意選択で、ＥＰＣによるトラッキングエリア更新が実行される。
【００７９】
図６及び図７の手順は例に過ぎず、フォールバック手順はまた、別様に実施されてもよい。図６の例と比較して、図７の例は、ＮＧＳとＥＰＳとの間のハンドオーバをサポートするために、ＭＭＥとＮＧ  ＣＰとの間の相互作用するインターフェースを必要とする。
【００８０】
ＳＩＰ  ＢＹＥメッセージ後の呼クリア（ＭＴ又はＭＯ）の後、ＰＤＮセッションはＮＧＳに移行し戻すことができる。これは例えば、以下を含むことができる。
【００８１】
ＭＭＥ２０５が、ＵＥ２０１から、サービス要求がマルチメディア呼のフォールバックを意図しているという指示を得る。
【００８２】
ｅＮＢ（例えばＥ−ＵＴＲＡＮ２０３の一部）が、アクティブでないことに起因してＳ１の解放を指示し、ＭＭＥ２０５がｅＮＢに、ＵＥ２０１がＮＧＳにリダイレクトし直されなければならないことをリマインドする。
【００８３】
ＭＭＥ２０５が、リダイレクト指示によってＳ１を解放する。
【００８４】
ｅＮＢが、５ＧへリダイレクトすることによってＲＲＣ接続を解放する。
【００８５】
要約すると、様々な実施形態によれば、通信を確立するための方法が、図８に示すように提供される。
【００８６】
図８は、フロー図８００を示す。
【００８７】
８０１において、第１の通信デバイスと第２の通信デバイスとの間の通信セッションへの招待が受信される。
【００８８】
８０２において、招待を表す情報が記憶される。
【００８９】
８０３において、第１の通信デバイスが、通信セッションが意図されていることを、第１の移動無線通信ネットワークを介して通知される。
【００９０】
８０４において、第１の通信デバイスの、第１の移動無線通信ネットワークから第２の移動無線通信ネットワークへのフォールバックが実施される。
【００９１】
８０５において、記憶されている情報に基づいて招待を示すメッセージが、第２の移動無線通信ネットワークを介して第１の通信デバイスに送信される。
【００９２】
８０６において、第１の通信デバイスと第２の通信デバイスとの間の通信セッションが、第２の移動無線通信ネットワークを介して確立される。
【００９３】
様々な実施形態によれば、換言すると、通信セッションに対する招待（例えばＳＩＰｉｎｖｉｔｅ）がバッファリングされ（又は、招待が受信されたという情報のような、招待を表す情報が記憶され）、通信デバイス（例えば加入者端末）のフォールバックが実施された後に（のみ）、招待を示すメッセージが送信される。第１の通信デバイスは、フォールバックの前に、通信セッションが意図されていることを通知される（例えば、ページングされ得）が、様々な実施形態では、招待は第１の通信デバイスに送信されない。例えば、第１の通信デバイスは、招待の層よりも低い通信層で（例えば、アプリケーション層よりも下の層で）通知される。例えば、招待は、呼制御プロトコルに従って送信され得るが、（意図されている通信セッションの文脈における）呼制御プロトコルメッセージの送信は、フォールバック後まで遅延される。言い換えれば、通知は、呼制御プロトコルとは異なるプロトコル（例えば、より下層のプロトコル）に従って実施される。したがって、（通信セッションとの関係における）呼制御プロトコルによるエンドツーエンド通信は、フォールバック後まで遅延される、すなわち、第２の移動無線通信ネットワークを介してのみ行われる。
【００９４】
図８の手法は、例えば、次世代システムの公表の一時的状況において品質の良好なマルチメディアサービスを提供するために使用することができる。この手法は、緩やかに結合されたアーキテクチャに基づいて実施することができる。特に、図８の手法は、第１の移動無線通信ネットワークと第２の移動無線通信ネットワークとの間の共通のＩＰアンカーを用いずに実施することができる。
【００９５】
図８に示す方法のステップのうちの１つ又は複数は、通信ネットワーク構成要素によって実行することができる、すなわち、例えばＩＰマルチメディアシステムの構成要素のような、図８の方法のステップのうちの１つ又は複数を実行するように構成されている通信ネットワーク構成要素を提供することができることが留意されるべきである。
【００９６】
例えば、図８に示す方法は、（少なくとも部分的に）図９に示すような移動無線通信ネットワーク構成要素によって実行される。
【００９７】
図９は、一実施形態による移動無線通信ネットワーク構成要素９００を示す。
【００９８】
移動無線通信ネットワーク構成要素９００は、第１の通信デバイスと第２の通信デバイスとの間の通信セッションに対する招待を受信するように構成されている受信機９０１と、招待を表す情報を記憶するように構成されているメモリ９０２とを備える。
【００９９】
移動無線通信ネットワーク構成要素９００は、コントローラ９０３をさらに備え、コントローラ９０３は、
通信セッションが意図されているという、第１の移動無線通信ネットワークを介した第１の通信デバイスの通知を開始し、
第１の移動無線通信ネットワークから第２の移動無線通信ネットワークへの第１の通信デバイスのフォールバック後に、記憶されている情報に基づいて招待を示すメッセージの、第２の移動無線通信ネットワークを介した第１の通信デバイスへの送信を開始するように構成されている。
【０１００】
上述した手法は、例えば、ネットワークオペレータによって、新規のＲＡＮ及び次世代コアネットワークの配備の間の一時的解決策として、ＮＧＳからＥＰＳへのマルチメディアサービスのフォールバック戦略を実施するために使用することができる。これは、次世代システムの公表の一時的状況において品質の良好なマルチメディアサービスを提供することを可能にすることができる。
【０１０１】
フォールバックは、例えば、
ＮＲカバレッジが不連続である場合に頻繁なハンドオーバを回避するために、
ＮＧＳ上のマルチメディア呼をサポートするための機能の公表の前及び間に実施することができる。
【０１０２】
上述したような実施形態による手法は、緩やかに結合されたシステムを使用して実施することができる。
【０１０３】
様々な実施例を下記に説明する。
【０１０４】
実施例１は、図８に示すように通信を確立するための方法である。
【０１０５】
実施例２は、第１の移動無線通信ネットワークが５Ｇ移動無線通信ネットワークであり、第２の移動無線通信ネットワークがロングタームエボリューション無線通信ネットワークである、実施例１による方法である。
【０１０６】
実施例３は、メッセージが呼制御プロトコルによるメッセージである、実施例１又は２による方法である。
【０１０７】
実施例４は、呼制御プロトコルがアプリケーション層プロトコルである、実施例３による方法である。
【０１０８】
実施例５は、招待が第２の通信デバイスに由来する、実施例１〜４のいずれか１つによる方法である。
【０１０９】
実施例６は、通信セッションがマルチメディア呼である、実施例１〜５のいずれか１つによる方法である。
【０１１０】
実施例７は、通信セッションがインターネットプロトコルマルチメディアサブシステム通信セッションである、実施例１〜６のいずれか１つによる方法である。
【０１１１】
実施例８は、第１の通信デバイスによってフォールバックを開始するステップを含む、実施例１〜７のいずれか１つによる方法である。
【０１１２】
実施例９は、第１の通信デバイスによってフォールバックを開始するステップが、第１の移動無線通信ネットワークに拡張サービス要求を送信することを含む、実施例８による方法である。
【０１１３】
実施例１０は、第１の通信デバイスが、当該第１の通信デバイスが第２の移動無線通信ネットワークへのフォールバックをサポートしていることを指示するステップと、指示に応答して招待を表す情報を記憶するステップとを含む、実施例１〜９のいずれか１つによる方法である。
【０１１４】
実施例１１は、フォールバック後まで第１の通信デバイスに対する招待の転送を遅延させるステップを含む、実施例１〜１０のいずれか１つによる方法である。
【０１１５】
実施例１２は、招待が招待メッセージの形態で受信され、招待を示すメッセージが招待メッセージである、実施例１〜１１のいずれか１つによる方法である。
【０１１６】
実施例１３は、フォールバックが、第１の通信デバイスと第２の通信デバイスとの間の通信経路を、第１の移動無線通信ネットワークを介して進行するものから、第２の移動無線通信ネットワークを介して進行するものへと変更することを含む、実施例１〜１２のいずれか１つによる方法。
【０１１７】
実施例１４は、受信するステップ、記憶するステップ及び送信するステップが、インターネットプロトコルマルチメディアシステムによって実行される、実施例１〜１３のいずれか１つによる方法である。
【０１１８】
実施例１５は、通知するステップが、第１の移動無線通信ネットワークを介して第１の通信デバイスをページングすることを含む、実施例１〜１４のいずれか１つによる方法である。
【０１１９】
実施例１６は、通信セッションが呼であり、ページングが、第１の通信デバイスが入来する呼に起因して第１の通信デバイスがページングされることを示す、実施例１５による方法である。
【０１２０】
実施例１７は、図９に示すような移動無線通信ネットワーク構成要素である。
【０１２１】
さらなる実施例によれば、移動体着信セッション要求を送信するための方法が提供され、方法は、
ＩＰマルチメディアシステムが、ユーザ機器にアドレス指定されているセッション設定要求を受信するステップと、
上記ＩＰマルチメディアシステムが、上記セッション設定要求をバッファリングするステップと、
上記ＩＰマルチメディアシステムが、上記ユーザ機器に対するセッション要求が入来しているという指示によって、第１のモバイルネットワークに通知を送信するステップと、
上記第１のモバイルネットワークにおいて、上記ユーザ機器が、第２のモバイルネットワークに接続することを求める要求を送信するステップと、
上記第１のモバイルネットワークが、上記ユーザ機器が上記第２のモバイルネットワークに移行することをトリガするステップと、
上記ユーザ機器が、第２のモバイルネットワークに接続し、上記ユーザ機器が上記第２のモバイルネットワークに移行したことを示す指示を、ＩＰマルチメディアシステムに送信するステップと、
上記ＩＰマルチメディアシステムが、上記バッファリングされているセッション要求を、上記第２のモバイルネットワークを介してユーザ機器に送信するステップと、
上記ユーザ機器が、上記第２のモバイルネットワークにおいてセッション要求を受信するステップとを含む。
【０１２２】
上記ユーザ機器が上記第２のモバイルネットワークに移行したことを示すインジケータは、例えば、ＳＩＰ  ＲＥＧＩＳＴＥＲ方法に従って送信することができる。
【０１２３】
当該方法のうちの１つの文脈において記載されている実施形態及び実施例は、他の方法及び移動無線通信ネットワーク構成要素にも同様に有効で適用可能であり、その逆も成り立つことが留意されるべきである。
【０１２４】
移動無線通信ネットワーク構成要素の構成要素（例えば受信機及びコントローラ）は、例えば、１つ又は複数の回路によって実装されてもよい。「回路」は、専用回路、又は、メモリ、ファームウェア、若しくはそれらの任意の組合わせに記憶されているプロセッサ実行ソフトウェアであってもよい、任意の種類の論理実装エンティティとして理解され得る。したがって、「回路」は、ハードワイヤード論理回路、又は、例えばマイクロプロセッサなどのプログラム可能プロセッサのようなプログラム可能論理回路であってもよい。「回路」はまた、例えば任意の種類のコンピュータプログラムなどのプロセッサ実行ソフトウェアであってもよい。下記により詳細に説明するそれぞれの機能の任意の他の種類の実施態様も、「回路」として理解され得る。
【０１２５】
特定の態様が記載されているが、添付の特許請求の範囲によって定義される本開示の態様の精神及び範囲から逸脱することなく、形式及び詳細において様々な変更がなされ得ることが当業者には理解されるべきである。したがって、その範囲は添付の特許請求の範囲によって示され、それゆえ、特許請求の範囲と均等な意味及び範囲内に入るすべての変更が包含されるように意図されている。
【図１】
0006480011.tif 000002
【図２】
0006480011.tif 000003
【図３】
0006480011.tif 000004
【図４】
0006480011.tif 000005
【図５】
0006480011.tif 000006
【図６】
0006480011.tif 000007
【図７】
0006480011.tif 000008
【図８】
0006480011.tif 000009
【図９】
0006480011.tif 000010